【手続補正書】
【提出日】平成15年11月27日(2003.11.27)
【手続補正１】
【補正対象書類名】明細書
【補正対象項目名】特許請求の範囲
【補正方法】変更
【補正の内容】
【特許請求の範囲】
【請求項１】
現像剤として磁性トナーを用いる電子写真式画像形成装置において、
現像後画像転写前の像担持体表面に近接するケース部分に、磁石を設けるとともに、前記ケース部分に前記磁石を導電性部材を介して設け、その導電性部材に現像剤と同極性の電圧を印加してなる、電子写真式画像形成装置。
【請求項２】
前記ケース部分を、現像ローラよりも前記像担持体に近接してなる、請求項１に記載の電子写真式画像形成装置。
【請求項３】
前記磁石が現像剤を保持可能な範囲が、前記導電性部材の前記像担持体側先端から０.５〜３ｍｍの範囲となるように、前記磁石を設けてなる、請求項１に記載の電子写真式画像形成装置。
【請求項４】
現像剤として磁性トナーを用いる電子写真式画像形成装置において、
現像後画像転写前の像担持体表面に近接するケース部分に、磁石を設けるとともに、前記磁石が現像剤を保持可能な範囲と前記像担持体との最短距離をＸとし、該像担持体の移動線速をＹとするとき、
Ｘ≧Ｙ／１００
の関係としてなる、電子写真式画像形成装置。
【請求項５】
現像剤として磁性トナーを用いる電子写真式画像形成装置において、
現像後画像転写前の像担持体表面に近接するケース部分に、磁石を設けるとともに、前記磁石が現像剤を保持可能な範囲と前記像担持体との最短距離を１.０mm以上としてなる、電子写真式画像形成装置。
【請求項６】
現像剤として磁性トナーを用いる電子写真式画像形成装置において、
現像後画像転写前の像担持体表面に近接するケース部分の現像ローラ側に、そのケース部分よりも前記像担持体側に突出して導電性部材を設け、その導電性部材に現像剤と同極性の電圧を印加する一方、前記導電性部材の前記ケース部分側に非導電性部材を備えて２層とするとともに、前記非導電性部材に転写材が接触するとき、２層となった部材を１mmたわませる力を２０gf／cm以上としてなる、電子写真式画像形成装置。
【請求項７】
像担持体と、現像剤として磁性トナーを用いてその像担持体上の静電潜像を現像する現像装置とを備える電子写真式画像形成装置のプロセスカートリッジにおいて、
現像後画像転写前の前記像担持体表面に近接するケース部分に、磁石を設けるとともに、前記ケース部分に前記磁石を導電性部材を介して設け、その導電性部材に現像剤と同極性の電圧を印加してなる、電子写真式画像形成装置のプロセスカートリッジ。
【請求項８】
前記ケース部分を、現像ローラよりも前記像担持体に近接してなる、請求項７に記載の電子写真式画像形成装置のプロセスカートリッジ。
【請求項９】
前記磁石が現像剤を保持可能な範囲が、前記導電性部材の前記像担持体側先端から０.５〜３ｍｍの範囲となるように、前記磁石を設けてなる、請求項７に記載の電子写真式画像形成装置のプロセスカートリッジ。
【請求項１０】
像担持体と、現像剤として磁性トナーを用いてその像担持体上の静電潜像を現像する現像装置とを備える電子写真式画像形成装置のプロセスカートリッジにおいて、
現像後画像転写前の前記像担持体表面に近接するケース部分に、磁石を設けるとともに、前記磁石が現像剤を保持可能な範囲と前記像担持体との最短距離をＸとし、該像担持体の移動線速をＹとするとき、
Ｘ≧Ｙ／１００
の関係としてなる、電子写真式画像形成装置のプロセスカートリッジ。
【請求項１１】
像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分に、磁石を設けるとともに、前記磁石が現像剤を保持可能な範囲と前記像担持体との最短距離を１.０mm以上としてなる、電子写真式画像形成装置のプロセスカートリッジ。
【請求項１２】
像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分の現像ローラ側に、そのケース部分よりも前記像担持体側に突出して導電性部材を設け、その導電性部材に現像剤と同極性の電圧を印加する一方、前記導電性部材の前記ケース部分側に非導電性部材を備えて２層とするとともに、前記非導電性部材に転写材が接触するとき、２層となった部材を１mmたわませる力を２０gf／cm以上としてなる、電子写真式画像形成装置のプロセスカートリッジ。
【手続補正２】
【補正対象書類名】明細書
【補正対象項目名】００１０
【補正方法】変更
【補正の内容】
【００１０】
【課題を解決するための手段】
そのため、請求項１に記載の発明は、現像剤として磁性トナーを用いる電子写真式画像形成装置において、
現像後画像転写前の像担持体表面に近接するケース部分に、磁石を設け設けるとともに、ケース部分に磁石を導電性部材を介して設け、その導電性部材に現像剤と同極性の電圧を印加してなる、ことを特徴とする。


【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項３に記載の発明は、そのような請求項１に記載の電子写真式画像形成装置において、磁石が現像剤を保持可能な範囲が、導電性部材の像担持体側先端から０.５〜３ｍｍの範囲となるように、磁石を設けてなる、ことを特徴とする。


【手続補正５】
【補正対象書類名】明細書
【補正対象項目名】００１５
【補正方法】変更
【補正の内容】
【００１５】
請求項４に記載の発明は、現像剤として磁性トナーを用いる電子写真式画像形成装置において、
現像後画像転写前の像担持体表面に近接するケース部分に、磁石を設けるとともに、磁石が現像剤を保持可能な範囲と像担持体との最短距離をＸとし、該像担持体の移動線速をＹとするとき、
Ｘ≧Ｙ／１００
の関係としてなる、ことを特徴とする。


【手続補正６】
【補正対象書類名】明細書
【補正対象項目名】００１６
【補正方法】変更
【補正の内容】
【００１６】
請求項５に記載の発明は、現像剤として磁性トナーを用いる電子写真式画像形成装置において、
現像後画像転写前の像担持体表面に近接するケース部分に、磁石を設けるとともに、磁石が現像剤を保持可能な範囲と像担持体との最短距離を１.０mm以上としてなる、ことを特徴とする。


【手続補正７】
【補正対象書類名】明細書
【補正対象項目名】００１７
【補正方法】変更
【補正の内容】
【００１７】
請求項６に記載の発明は、現像剤として磁性トナーを用いる電子写真式画像形成装置において、
現像後画像転写前の像担持体表面に近接するケース部分の現像ローラ側に、そのケース部分よりも像担持体側に突出して導電性部材を設け、その導電性部材に現像剤と同極性の電圧を印加する一方、導電性部材のケース部分側に非導電性部材を備えて２層とするとともに、非導電性部材に転写材が接触するとき、２層となった部材を１mmたわませる力を２０gf／cm以上としてなる、ことを特徴とする。


【手続補正８】
【補正対象書類名】明細書
【補正対象項目名】００１８
【補正方法】変更
【補正の内容】
【００１８】
請求項７に記載の発明は、像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分に、磁石を設けるとともに、ケース部分に磁石を導電性部材を介して設け、その導電性部材に現像剤と同極性の電圧を印加してなる、ことを特徴とする。


【手続補正９】
【補正対象書類名】明細書
【補正対象項目名】００１９
【補正方法】変更
【補正の内容】
【００１９】
請求項８に記載の発明は、請求項７に記載の電子写真式画像形成装置のプロセスカートリッジにおいて、ケース部分を、現像ローラよりも像担持体に近接してなる、ことを特徴とする。


【手続補正１０】
【補正対象書類名】明細書
【補正対象項目名】００２０
【補正方法】変更
【補正の内容】
【００２０】
請求項９に記載の発明は、請求項７に記載の電子写真式画像形成装置のプロセスカートリッジにおいて、磁石が現像剤を保持可能な範囲が、導電性部材の像担持体側先端から０.５〜３ｍｍの範囲となるように、磁石を設けてなる、ことを特徴とする。
請求項１０に記載の発明は、像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分に、磁石を設けるとともに、磁石が現像剤を保持可能な範囲と像担持体との最短距離をＸとし、該像担持体の移動線速をＹとするとき、
Ｘ≧Ｙ／１００
の関係としてなる、ことを特徴とする。
請求項１１に記載の発明は、像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分に、磁石を設けるとともに、磁石が現像剤を保持可能な範囲と像担持体との最短距離を１.０mm以上としてなる、ことを特徴とする。
請求項１２に記載の発明は、像担持体と、現像剤として磁性トナーを用いてその像担持体上の静電潜像を現像する現像装置とを備える電子写真式画像形成装置のプロセスカートリッジにおいて、
現像後画像転写前の像担持体表面に近接するケース部分の現像ローラ側に、そのケース部分よりも像担持体側に突出して導電性部材を設け、その導電性部材に現像剤と同極性の電圧を印加する一方、導電性部材のケース部分側に非導電性部材を備えて２層とするとともに、非導電性部材に転写材が接触するとき、２層となった部材を１mmたわませる力を２０gf／cm以上としてなる、ことを特徴とする。
【手続補正１１】
【補正対象書類名】明細書
【補正対象項目名】００３７
【補正方法】変更
【補正の内容】
【００３７】
そして、従来と同様に、導電性部材４０は、たとえば図４に示すとおり、現像ローラ１３と平行に設け、両端４０ａをカートリッジケース３０の外側に引き出してカートリッジケース３０の外側面に重ね合わせ、板ばね状の導電性端子部材４１を介して現像ローラ１３のローラ軸１３ａと電気的に接続する。


【手続補正１２】
【補正対象書類名】明細書
【補正対象項目名】００４５
【補正方法】変更
【補正の内容】
【００４５】
ところで、図６に示す例では、たまたま導電性部材４０をケース部分３０ｂよりも像担持体１０側に突出して設ける。このように、導電性部材４０をケース部分３０ｂよりも突出して設けると、突出する導電性部材４０で遮って、磁石４２による保持トナーが、その導電性部材４０を乗り越えてケース部分３０ｂの表側にまでまわり込むことを防ぎ、トナーをケース部分３０ｂの正面側に付着しにくくすることができる。


【手続補正１３】
【補正対象書類名】明細書
【補正対象項目名】００５７
【補正方法】変更
【補正の内容】
【００５７】
また、ケース部分に磁石を導電性部材を介して設け、その導電性部材に現像剤と同極性の電圧を印加するから、導電性部材により多くのトナーが飛んでくることを防いで、飛散トナーを磁石で十分に保持できるようにし、飛散トナーにより転写材を汚したり、手を汚したりするおそれをより確実になくすことができる。


【手続補正１４】
【補正対象書類名】明細書
【補正対象項目名】００５８
【補正方法】変更
【補正の内容】
【００５８】
請求項３に係る発明によれば、磁石が現像剤を保持可能な範囲が、導電性部材の像担持体側先端から０.５〜３ｍｍの範囲となるように、磁石を設けるから、磁石による保持トナーが導電性部材を乗り越えてケース部分の表側にまでまわり込むことを阻止し、飛散トナーにより転写材を汚したり、手を汚したりするおそれをより確実になくすことができる。


【手続補正１５】
【補正対象書類名】明細書
【補正対象項目名】００５９
【補正方法】変更
【補正の内容】
【００５９】
請求項４に係る発明によれば、現像後画像転写前の像担持体表面に近接するケース部分に、磁石を設けるとともに、磁石が現像剤を保持可能な範囲と像担持体との最短距離をＸとし、該像担持体の移動線速をＹとするとき、Ｘ≧Ｙ／１００の関係とするから、磁石で磁気的に保持するトナーが、像担持体の回転にともなう気流等により、像担持体へと再飛散することを阻止し、画像品質の低下を一層防止することができる。


【手続補正１６】
【補正対象書類名】明細書
【補正対象項目名】００６０
【補正方法】変更
【補正の内容】
【００６０】
請求項５に係る発明によれば、現像後画像転写前の像担持体表面に近接するケース部分に、磁石を設けるとともに、磁石が現像剤を保持可能な範囲と像担持体との最短距離を１.０mm以上とするから、同様に、磁石で磁気的に保持するトナーが、像担持体の回転にともなう気流等により、像担持体へと再飛散することを阻止し、画像品質の低下を一層防止することができる。


【手続補正１７】
【補正対象書類名】明細書
【補正対象項目名】００６１
【補正方法】変更
【補正の内容】
【００６１】
請求項６に係る発明によれば、ケース部分の現像ローラ側に、そのケース部分よりも像担持体側に突出して導電性部材を設け、その導電性部材に現像剤と同極性の電圧を印加するから、突出する導電性部材で遮って、像担持体や現像ローラから飛散した浮遊トナーが、その導電性部材を乗り越えてケース部分の正面側に付着しにくくし、飛散トナーにより転写材を汚したり、手を汚したりするおそれをなくすことができる。


【手続補正１８】
【補正対象書類名】明細書
【補正対象項目名】００６２
【補正方法】変更
【補正の内容】
【００６２】
また、導電性部材のケース部分側に非導電性部材を備えて２層とするから、非導電性部材で遮って転写材が導電性部材に直接接触しまたは近接しないようにし、転写材に不必要な電荷が付与されないようにして、画像品質の低下を防止することができる。


【手続補正１９】
【補正対象書類名】明細書
【補正対象項目名】００６３
【補正方法】変更
【補正の内容】
【００６３】
さらに、非導電性部材に転写材が接触するとき、２層となったシート部材を１mmたわませる力を２０gf／cm以上とするから、転写材により押されて導電性部材がたわむことを防ぎ、復元するときにその反動でトナーが浮遊して飛散することを阻止し、画像品質の低下を一層防止することができる。


【手続補正２０】
【補正対象書類名】明細書
【補正対象項目名】００６４
【補正方法】変更
【補正の内容】
【００６４】
請求項７ないし１１に係る発明によれば、像担持体と、現像剤として磁性トナーを用いてその像担持体上の静電潜像を現像する現像装置とを備える電子写真式画像形成装置のプロセスカートリッジにおいて、現像後画像転写前の像担持体表面に近接するケース部分に、磁石を設けるから、像担持体や現像ローラから飛散した浮遊トナーを磁石の磁力により磁気的に保持し、像担持体へと再飛散して画像品質が低下することを防止し、またケース部分に付着したトナーが塊となって外部へと飛び出すことを防止し、飛散トナーにより転写材を汚したり、手を汚したりするおそれをなくすことができる。